(57)【要約】
【課題】  フロントパネルとトップケースとの間に段差が生じないようにすること。
【解決手段】  裏面に凹部１ｃを形成したフロントパネル１の後部にベースケース２とト
ップケース３とが配置され、トップケース３の天板部突片４と一対の側板部突片５とがそ
れぞれフロントパネル１の凹部１ｃ内に挿入され、トップケース３の各側板部３ｂ，３ｃ
とそれに重合するベースケース２の各側板部２ｂ，２ｃとがビス８により止着されたディ
スクプレーヤ一体型磁気テープ装置の外装ケーシングにおいて、凹部１ｃの縦幅Ｈに比べ
て各側板部突片５の縦幅ｈを小さく設定することにより、該各側板部突片５の下面と凹部
１ｃの底面６との間に小間隔ｔの空隙が形成され、該空隙とほぼ同一高さの左右一対の受
台１０を凹部１ｃの底面６両端に一体形成することにより、該各受台１０の上面に各側板
部突片５の下面が当接または近接されている。
【選択図】        図４
0003100734.tif 000002
【実用新案登録請求の範囲】
【請求項１】
正面にディスク挿入口とカセット挿入口とを並設し裏面に凹部を形成
した合成樹脂製フロントパネルを有し、該フロントパネルの後部に略コ字状金属板からな
るベースケースとトップケースとが配置されたものであって、前記トップケースの天板部
の前縁部を折り曲げて前方に突出する天板部突片と該トップケースの両側板部の前縁部を
折り曲げて前方に突出する一対の側板部突片とがそれぞれフロントパネルの凹部内に挿入
され、該凹部の縦幅に比べて各側板部突片の縦幅を小さく設定することにより、該各側板
部突片の下面と凹部の底面との間に小間隔の空隙が形成され、トップケースの各側板部と
それに重合するベースケースの各側板部とがビスにより止着されたディスクプレーヤ一体
型磁気テープ装置の外装ケーシングにおいて、前記空隙とほぼ同一高さの左右一対の受台
を前記凹部の底面両端に一体形成することにより、該各受台の上面に前記各側板部突片の
下面が当接または近接され、前記天板部突片の両端部近傍部分を下向き直角に折り曲げて
左右一対のＬ字片が形成される共に、その天板部突片の両Ｌ字片以外の部分を下向き円弧
状に折り曲げてＪ字片が形成され、前記フロントパネルの天板部下面の両端部近傍から後
方に延びる２つの両端支持アームに形成した位置決め溝に前記各Ｌ字片の先端が嵌入され
ると共に、前記フロントパネルの天板部下面の中央部に所定間隔をおいて突設されて後方
に延びる複数の中央支持アーム上に前記Ｊ字片が載置され、前記フロントパネルの各側板
部の内側面上下端近傍から後方に延びる上下２つの側方支持アームに形成したスリットに
前記各側板部突片が挿入されていることを特徴とするディスクプレーヤ一体型磁気テープ
装置の外装ケーシング。
【請求項２】
裏面に凹部を形成した合成樹脂製フロントパネルの後部に略コ字状金
属板からなるベースケースとトップケースとが配置され、前記トップケースの天板部の前
縁部を折り曲げて前方に突出する天板部突片と該トップケースの両側板部の前縁部を折り
曲げて前方に突出する一対の側板部突片とがそれぞれフロントパネルの凹部内に挿入され
、トップケースの各側板部とそれに重合するベースケースの各側板部とがビスにより止着
された電気機器の外装ケーシングにおいて、凹部の縦幅に比べて各側板部突片の縦幅を小
さく設定することにより、該各側板部突片の下面と凹部の底面との間に小間隔の空隙が形
成され、該空隙とほぼ同一高さの左右一対の受台を前記凹部の底面両端に一体形成するこ
とにより、該各受台の上面に前記各側板部突片の下面が当接または近接されていることを
特徴とする電気機器の外装ケーシング。
【請求項３】
前記天板部突片の両端部近傍部分を下向き直角に折り曲げて左右一対
のＬ字片が形成される共に、その天板部突片の両Ｌ字片以外の部分を下向き円弧状に折り
曲げてＪ字片が形成され、前記フロントパネルの天板部下面の両端部近傍から後方に延び
る２つの両端支持アームに形成した位置決め溝に前記各Ｌ字片の先端が嵌入されると共に
、前記フロントパネルの天板部下面の中央部に所定間隔をおいて突設されて後方に延びる
複数の中央支持アーム上に前記Ｊ字片が載置されていることを特徴とする請求項２に記載
の電気機器の外装ケーシング。
【請求項４】
前記フロントパネルの各側板部の内側面上下端近傍から後方に延びる
上下２つの側方支持アームに形成したスリットに前記各側板部突片が挿入されていること
を特徴とする請求項２または３に記載の電気機器の外装ケーシング。
【請求項５】
前記フロントパネルの正面にディスクプレーヤ一体型磁気テープ装置
のディスク挿入口とカセット挿入口とが並設されていることを特徴とする請求項２から４
のいずれかに記載の電気機器の外装ケーシング。
【考案の詳細な説明】
【技術分野】
【０００１】
本考案は、例えばＤＶＤ一体型ビデオデッキなどのディスクプレーヤ一体型磁気テープ
装置や電気機器の外観を良好に維持できるようにした外装ケーシングの改良に関する。
【背景技術】
【０００２】
従来、電気機器の外装ケーシングの技術として特許文献１などに記載したものがあり、
その一例を図９及び図１０に基づいて説明すると、これは、ディスクプレーヤ一体型磁気
テープ装置の外装ケーシングであって、正面にディスク挿入口１ａとカセット挿入口１ｂ
とを並設し裏面に凹部１ｃを形成した合成樹脂製フロントパネル１を有し、該フロントパ
ネル１の後部に略コ字状金属板からなるベースケース２とトップケース３とが配置された
ものであって、トップケース３の天板部３ａの前縁部を折り曲げて前方に突出する天板部
突片４と該トップケース３の両側板部３ｂ，３ｃの前縁部を折り曲げて前方に突出する一
対の側板部突片５とがそれぞれフロントパネル１の凹部１ｃ内に挿入され、該凹部１ｃの
縦幅Ｈに比べて各側板部突片５の縦幅ｈを小さく設定することにより、該各側板部突片５
の下面と凹部１ｃの底面６との間に小間隔ｔ（例えば２ｍｍ程度）の空隙７が生じ、ベー
スケース２の底板部２ａがフロントパネル１に突設した脚部１ｄに連結されると共に、該
ベースケース２の両側板部２ｂ，２ｃとそれに重合するトップケース３の各側板部３ｂ，
３ｃとがビス８により止着されている。
【０００３】
外装ケーシングの組立手順を説明すると、フロントパネル１にベースケース２を取り付
けた状態で、トップケース３の天板部突片４及び側板部突片５を凹部１ｃ内に挿入し、該
トップケース３をベースケース２に被せた後、そのトップケース３の側板部３ｂ，３ｃを
ベースケース２の側板部２ｂ，２ｃにビス８により止着すればよい。
【特許文献１】特開平１１−１４４４４４号公報
【考案の開示】
【考案が解決しようとする課題】
【０００４】
上記従来の構成では、外装ケーシングの組立時に、凹部１ｃに挿入した側板部突片５と
該凹部１ｃの底面６との間に空隙７が生じるているため、作業員がトップケース３の天板
部３ａの両端部を不測に押圧Ｗして、該トップケース３の側板部３ｂ，３ｃを押し下げる
ことがあり、その押し下げ状態を気づかずに、トップケース３をベースケース２に止着し
た場合には、図９に仮想線で示すように、トップケース３の天板部３ａの両端部とフロン
トパネル１の天板部１Ａとの間に段差αが生じて外観上の体裁が悪くなり、商品価値を低
下させる。
【０００５】
また、トップケース３の天板部３ａの中央部や側板部３ｂ，３ｃの支持が不確実である
ため、その天板部３ａや側板部３ｂ，３ｃが波打ってフロントパネル１の天板部１Ａや側
板部１Ｂ，１Ｃとの間にも段差が生じて外観上の体裁が悪くなることがある。
【０００６】
本考案は、上記従来の欠点に鑑み、フロントパネルとトップケースとの間に段差が生じ
ないようにして外観上の体裁を良好に維持できるようにしたディスクプレーヤ一体型磁気
テープ装置や電気機器の外装ケーシングを提供することを目的としている。
【課題を解決するための手段】
【０００７】
上記目的を達成するため、請求項１に記載の考案は、正面にディスク挿入口とカセット
挿入口とを並設し裏面に凹部を形成した合成樹脂製フロントパネルを有し、該フロントパ
ネルの後部に略コ字状金属板からなるベースケースとトップケースとが配置されたもので
あって、前記トップケースの天板部の前縁部を折り曲げて前方に突出する天板部突片と該
トップケースの両側板部の前縁部を折り曲げて前方に突出する一対の側板部突片とがそれ
ぞれフロントパネルの凹部内に挿入され、該凹部の縦幅に比べて各側板部突片の縦幅を小
さく設定することにより、該各側板部突片の下面と凹部の底面との間に小間隔の空隙が形
成され、トップケースの各側板部とそれに重合するベースケースの各側板部とがビスによ
り止着されたディスクプレーヤ一体型磁気テープ装置の外装ケーシングにおいて、前記空
隙とほぼ同一高さの左右一対の受台を前記凹部の底面両端に一体形成することにより、該
各受台の上面に前記各側板部突片の下面が当接または近接され、前記天板部突片の両端部
近傍部分を下向き直角に折り曲げて左右一対のＬ字片が形成される共に、その天板部突片
の両Ｌ字片以外の部分を下向き円弧状に折り曲げてＪ字片が形成され、前記フロントパネ
ルの天板部下面の両端部近傍から後方に延びる２つの両端支持アームに形成した位置決め
溝に前記各Ｌ字片の先端が嵌入されると共に、前記フロントパネルの天板部下面の中央部
に所定間隔をおいて突設されて後方に延びる複数の中央支持アーム上に前記Ｊ字片が載置
され、前記フロントパネルの各側板部の内側面上下端近傍から後方に延びる上下２つの側
方支持アームに形成したスリットに前記各側板部突片が挿入されていることを特徴として
いる。
【０００８】
請求項２に記載の考案は、裏面に凹部を形成した合成樹脂製フロントパネルの後部に略
コ字状金属板からなるベースケースとトップケースとが配置され、前記トップケースの天
板部の前縁部を折り曲げて前方に突出する天板部突片と該トップケースの両側板部の前縁
部を折り曲げて前方に突出する一対の側板部突片とがそれぞれフロントパネルの凹部内に
挿入され、トップケースの各側板部とそれに重合するベースケースの各側板部とがビスに
より止着された電気機器の外装ケーシングにおいて、凹部の縦幅に比べて各側板部突片の
縦幅を小さく設定することにより、該各側板部突片の下面と凹部の底面との間に小間隔の
空隙が形成され、該空隙とほぼ同一高さの左右一対の受台を前記凹部の底面両端に一体形
成することにより、該各受台の上面に前記各側板部突片の下面が当接または近接されてい
ることを特徴としている。
【０００９】
請求項３に記載の考案は、請求項２に記載の考案において、前記天板部突片の両端部近
傍部分を下向き直角に折り曲げて左右一対のＬ字片が形成される共に、その天板部突片の
両Ｌ字片以外の部分を下向き円弧状に折り曲げてＪ字片が形成され、前記フロントパネル
の天板部下面の両端部近傍から後方に延びる２つの両端支持アームに形成した位置決め溝
に前記各Ｌ字片の先端が嵌入されると共に、前記フロントパネルの天板部下面の中央部に
所定間隔をおいて突設されて後方に延びる複数の中央支持アーム上に前記Ｊ字片が載置さ
れていることを特徴としている。
【００１０】
請求項４に記載の考案は、請求項２または３に記載の考案において、前記フロントパネ
ルの各側板部の内側面上下端近傍から後方に延びる上下２つの側方支持アームに形成した
スリットに前記各側板部突片が挿入されていることを特徴としている。
【００１１】
請求項５に記載の考案は、請求項２から４のいずれかに記載の考案において、前記フロ
ントパネルの正面にディスクプレーヤ一体型磁気テープ装置のディスク挿入口とカセット
挿入口とが並設されていることを特徴としている。
【考案の効果】
【００１２】
請求項１に記載の考案は実施の一形態（図１から図８参照）に対応するものであって、
これによれば、外装ケーシングの組立時に、フロントパネルの凹部内にトップケースの側
板部突片を挿入すると、該側板部突片の下面が前記凹部の底面両端に一体形成した受台の
上面に当接または近接されるので、トップケースをベースケースにビスで止着する際に作
業員がトップケースの天板部の両端部を不測に押圧しても、該トップケースの側板部が押
し下げられることがなく、そのトップケースの天板部の両端部とフロントパネルの天板部
との間に従来のように段差が生じることがない。
【００１３】
また、２つの両端支持アームと複数の中央支持アームとによりＬ字片及びＪ字片を介し
てトップケースの天板部を支持しているので、そのトップケースの天板部の上面を波打た
ないように一直線状に保持してフロントパネルの天板部の上面と面一状にすることができ
、特に、前記各Ｌ字片の先端を各両端支持アームに形成した位置決め溝に嵌入させている
ので、トップケースの天板部とフロントパネルの天板部との間に隙間が生じないように体
裁良く一体的につなぐことができる。
【００１４】
更に、上下２つの側方支持アームに形成したスリットにトップケースの各側板部突片を
挿入しているので、そのトップケースの側板部も波打たないように一直線状に保持してフ
ロントパネルの側板部と面一状に体裁良くつなぐことができる。
【００１５】
以上要するに、ディスク挿入口とカセット挿入口とを並設した横幅が広いフロントパネ
ルであっても、そのフロントパネルにトップケースを面一状につないで外観上の体裁を良
好に維持した商品価値の高いディスクプレーヤ一体型磁気テープ装置を提供することがで
きる。
【００１６】
請求項２に記載の考案によれば、外装ケーシングの組立時に、フロントパネルの凹部内
にトップケースの側板部突片を挿入すると、該側板部突片の下面が前記凹部の底面両端に
一体形成した受台の上面に当接または近接されるので、トップケースをベースケースにビ
スで止着する際に作業員がトップケースの天板部の両端部を不測に押圧しても、該トップ
ケースの側板部が押し下げられることがなく、そのトップケースの天板部の両端部とフロ
ントパネルの天板部との間に従来のように段差が生じることがない。従って、外観上の体
裁が良好で、商品価値を高く保持することができる。
【００１７】
請求項３に記載の考案によれば、２つの両端支持アームと複数の中央支持アームとによ
りＬ字片及びＪ字片を介してトップケースの天板部を支持しているので、そのトップケー
スの天板部の上面を波打たないように一直線状に保持してフロントパネルの天板部の上面
と面一状にすることができ、特に、前記各Ｌ字片の先端を各両端支持アームに形成した位
置決め溝に嵌入させているので、トップケースの天板部とフロントパネルの天板部との間
に隙間が生じないように体裁良く一体的につなぐことができる。
【００１８】
請求項４記載の考案によれば、上下２つの側方支持アームに形成したスリットにトップ
ケースの各側板部突片を挿入しているので、そのトップケースの側板部も波打たないよう
に一直線状に保持してフロントパネルの側板部と面一状に体裁良くつなぐことができる。
【００１９】
請求項５に記載の考案によれば、ディスク挿入口とカセット挿入口とを並設した横幅が
広いフロントパネルであっても、そのフロントパネルにトップケースを面一状につないで
外観上の体裁を良好に維持した商品価値の高いディスクプレーヤ一体型磁気テープ装置を
提供することができる。
【考案を実施するための最良の形態】
【００２０】
図１から図４は本考案の実施の一形態であるディスクプレーヤ一体型磁気テープ装置の
外装ケーシングを示すものであって、フロントパネル１の凹部１ｃの縦幅Ｈに比べてトッ
プケース３の各側板部突片５の縦幅ｈを小さく設定することにより、該各側板部突片５の
下面と凹部１ｃの底面６との間に形成された小間隔ｔの空隙７〔図１０（ａ）参照〕とほ
ぼ同一高さｔの左右一対の受台１０が凹部１ｃの底面６の両端に一体形成されている。上
記以外の構成は図９及び図１０に示す構成とほぼ同じであるので、同一部分に同一符号を
付してその説明を省略する。
【００２１】
上記構成によれば、外装ケーシングの組立時に、フロントパネル１の凹部１ｃ内にトッ
プケース３の各側板部突片５を挿入すると、該各側板部突片５の下面が各受台１０の上面
に当接または近接されるので、トップケース３をベースケース２にビス８で止着する際に
、作業員がトップケース３の天板部３ａの両端部を不測に押圧Ｗしても、該トップケース
３の側板部３ｂ，３ｃが押し下げられることがなく、そのトップケース３の天板部３ａの
両端部とフロントパネル１の天板部１Ａとの間に従来のように段差α（図９参照）が生じ
ることがない。
【００２２】
図５及び図６に示すように、トップケース３の天板部突片４の両端部近傍部分を下向き
直角に折り曲げて左右一対のＬ字片４ａが形成される共に、その天板部突片４の両Ｌ字片
４ａ以外の部分を下向き円弧状に折り曲げてＪ字片４ｂが形成され、図７（ａ）（ｄ）に
示すように、フロントパネル１の天板部１Ａの下面の両端部近傍から後方に延びる２つの
両端支持アーム１１，１２上のリブ１１ａ，１２ａに形成した位置決め溝１１ｂ，１２ｂ
に前記各Ｌ字片４ａの先端が嵌入され、図７（ｂ）（ｃ）に示すように、前記フロントパ
ネル１の天板部１Ａの下面の中央部に所定間隔をおいて突設されて後方に延びる複数（こ
の実施の形態では３つ）の中央支持アーム１３〜１５上のリブ１３ａ〜１５ａに前記Ｊ字
片４ｂが載置されている。
【００２３】
上記構成によれば、２つの両端支持アーム１１，１２と複数の中央支持アーム１３〜１
５とにより各Ｌ字片４ａ及びＪ字片４ｂを介してトップケース３の天板部３ａを支持して
いるので、そのトップケース３の天板部３ａの上面を波打たないように一直線状に保持し
てフロントパネル１の天板部１Ａの上面と面一状にすることができ、特に、前記各Ｌ字片
４ａの先端を各両端支持アーム１１，１２の位置決め溝１１ｂ，１２ｂに嵌入させている
ので、トップケース３の天板部３ａとフロントパネル１の天板部１Ａとの間に隙間が生じ
ないように体裁良く一体的につなぐことができる。
【００２４】
図８（ａ）（ｂ）に示すように、フロントパネル１の各側板部１Ｂ，１Ｃの内側面上下
端近傍から後方に延びる上下２つの側方支持アーム１６，１７上のリブ１６ａ，１７ａに
形成したスリット１６ｂ，１７ｂにトップケース３の各側板部突片５が挿入されている。
【００２５】
上記構成によれば、トップケース３の側板部３ｂ，３ｃを波打たないように一直線状に
保持してフロントパネル１の側板部１Ｂ，１Ｃと面一状に体裁良くつなぐことができる。
【００２６】
以上要するに、ディスク挿入口１ａとカセット挿入口１ｂとを並設した横幅が広いフロ
ントパネル１であっても、そのフロントパネル１にトップケース３を面一状につないで外
観上の体裁を良好に維持した商品価値の高いディスクプレーヤ一体型磁気テープ装置を提
供することができる。
【産業上の利用可能性】
【００２７】
上記の実施の形態では、ディスクプレーヤ一体型磁気テープ装置を例にあげて説明した
が、これに限定されるわけではなく、例えば単体型ディスクプレーヤや単体型磁気テープ
装置などの各種電気機器の外装ケーシングにも適用される。
【図面の簡単な説明】
【００２８】
【図１】本考案の実施の一形態であるディスクプレーヤ一体型磁気テープ装置の外装ケーシングを示す斜視図である。
【図２】同平面図である。
【図３】同側面図である。
【図４】（ａ）は図２のＡ−Ａ矢視図、（ｂ）は同要部の斜視図である。
【図５】同トップケースの斜視図である。
【図６】図２のＢ−Ｂ矢視図である。
【図７】（ａ）は図６のＣ−Ｃ矢視図、（ｂ）は図６のＤ−Ｄ矢視図、（ｃ）は図６のＥ−Ｅ矢視図、（ｄ）は図６のＦ−Ｆ矢視図である。
【図８】（ａ）は図６のＧ−Ｇ矢視図、（ｂ）は図６のＨ−Ｈ矢視図である。
【図９】従来例を示す斜視図である。
【図１０】（ａ）は同縦断面図、（ｂ）はＩ−Ｉ矢視図である。
【符号の説明】
【００２９】
１              フロントパネル
１Ａ            フロントパネルの天板部
１Ｂ，１Ｃ      フロントパネルの側板部
１ａ            ディスク挿入口
１ｂ            カセット挿入口
１ｃ            フロントパネルの凹部
２              ベースケース
２ｂ，２ｃ      ベースケースの側板部
３              トップケース
３ａ            トップケースの天板部
３ｂ，３ｃ      トップケースの側板部
４              天板部突片
４ａ            Ｌ字片
４ｂ            Ｊ字片
５              側板部突片
６              凹部の底面
７              空隙
８              ビス
１０            受台
１１，１２      両端支持アーム
１１ｂ，１２ｂ  位置決め溝
１３〜１５      中央支持アーム
１６，１７      側方支持アーム
１６ｂ，１７ｂ  スリット
Ｈ              凹部の縦幅
ｈ              側板部突片の縦幅
ｔ              空隙の間隔
【図１】
0003100734.tif 000003
【図２】
0003100734.tif 000004
【図３】
0003100734.tif 000005
【図４】
0003100734.tif 000006
【図５】
0003100734.tif 000007
【図６】
0003100734.tif 000008
【図７】
0003100734.tif 000009
【図８】
0003100734.tif 000010
【図９】
0003100734.tif 000011
【図１０】
0003100734.tif 000012